(57)【特許請求の範囲】
【請求項１】
枕本体と、この枕本体の対向側に設けかつ上面に向けて膨出している第１の支持部及び第２の支持部と、補助枕とを備えており、
上記枕本体には、上記第１の支持部と第２の支持部との間に上記補助枕を収納可能である収納凹部を設けてあり、
上記第１及び第２の支持部は、いずれも対向する方向と交差する方向に長さを有すると共に断面が上面を凸とする湾曲形状となっており、
上記第１の支持部は、その上面が使用者の頚部の前湾曲線に沿う形状であり、
上記第１の支持部は、その高さが第２の支持部のそれより高いものであり、
上記第２の支持部は、その上面に使用者の頚部を載せることができるものであり、
上記第１の支持部と第２の支持部との関係は、上記第１の支持部及び第２の支持部のいずれか一方に頚部を載せた状態で後頭部端が他方に当らないものに設定されており、
上記補助枕は後頭部を載せるためのものであると共に、そのレベルが上記第２の支持部の高さに合わせてある
ことを特徴とする枕。
【請求項２】
枕本体は、その内部に充填材を充填してあり、上記充填材を出し入れ可能である開口部を設けてあることを特徴とする請求項１記載の枕。
【請求項３】
枕本体はその内部に充填材を充填してあり、上記充填材を出し入れ可能である開口部を設けてあり、上記枕本体が上記充填材によって外周に沿って「ロ」字状に膨らんでおり、かつ充填材が充填されてない中央部分が収納凹部となっており、上記枕本体内への充填材の充填量の増減により、第１の支持部及び第２の支持部の高さを調整可能であることを特徴とする請求項１記載の枕。
【請求項４】
補助枕は布を複数枚重ねたものであることを特徴とする請求項１、請求項２又は請求項３記載の枕。
【請求項５】
補助枕は保冷材入りであることを特徴とする請求項１、請求項２又は請求項３記載の枕。
【発明の詳細な説明】
【技術分野】
【０００１】
この発明は枕に関するものである。
【背景技術】
【０００２】
従来より、快い睡眠を促すためなどに用いる枕として、例えば特開２００１−８７１０６号公報記載の「枕」、特開２００１−１０４１２６号公報記載の「枕」及び実用新案登録第３０６１１５０号に係る登録実用新案公報記載の「快眠枕」（以下それぞれ「従来例１」、「従来例２」及び「従来例３」という。）が提案されている。
従来例１は、直方体の枕本体の中央部に高い側から低い側に向かって下がる末広状のＵ形斜面を設けているものである。その使用法は、枕本体の高い側を足側に向けて置き、後頭部を斜面に置き、後頭部のみが枕に接し、また横向きになった際は、Ｕ形斜面の両側すなわち、枕本体の両端の上面に側頭部を置く枕である。
従来例２は、頭が当たる枕の中央部に半球状の凹みを、また頚が当たる枕の辺の中央部に半円形に食い込む凹みを有し、頭及び頚に馴染み、座り具合が良い、安眠に役立つ枕である。
従来例３は、枕の素材に断熱材、発泡型ウレタンポリマーを使用し、その上方中央部に穴を設け、この穴に市販の保冷材、保冷型エチレングリコールをセットし、断熱と水漏れを防ぎ、夏期や発熱時などに長時間連続して頭を冷やすことができる枕である。
【特許文献１】特開２００１−８７１０６号公報
【特許文献２】特開２００１−１０４１２６号公報
【特許文献３】第３０６１１５０号登録実用新案公報
【発明の開示】
【発明が解決しようとする課題】
【０００３】
従来例１においては、頚部の前湾カーブが保たれるので筋肉の余計な緊張がなく、リラックスした睡眠ができる利点があるものの、頚部がＵ形斜面に納まる状態であるために睡眠中に横向き動作が妨げられ心地良い睡眠が妨げられる可能性がある。
従来例２においては、頭及び頚に馴染む形状とすることで、頭及び頚の座り具合が良く、安眠できる利点があるものの、頭が当たる枕の中央部に半球状の凹みを設けているので、従来例１と同様に睡眠中の横向き動作がし難いものと推察される。
従来例３においては、長時間連続して頭を冷やすことができる利点があるものの、枕の上面に後頭部を上げる部分が高いために頚部の筋肉が引っ張られて緊張し、気道も圧迫され、長時間の快い睡眠を図るに不適用である。
この発明の目的は快い睡眠を促すと共に枕の商品価値を高めることにある。
【課題を解決するための手段】
【０００４】
この発明の第１の特徴は、枕本体と、この枕本体の対向側に設けかつ上面に向けて膨出している第１の支持部及び第２の支持部と、補助枕とを備えており、上記枕本体には、上記第１の支持部と第２の支持部との間に上記補助枕を収納可能である収納凹部を設けてあり、上記第１及び第２の支持部は、いずれも対向する方向と交差する方向に長さを有すると共に断面が上面を凸とする湾曲形状となっており、上記第１の支持部は、その上面が使用者の頚部の前湾曲線に沿う形状であり、上記第１の支持部は、その高さが第２の支持部のそれより高いものであり、上記第２の支持部は、その上面に使用者の頚部を載せることができるものであり、上記第１の支持部と第２の支持部との関係は、上記第１の支持部及び第２の支持部のいずれか一方に頚部を載せた状態で後頭部端が他方に当らないものに設定されており、上記補助枕は後頭部を載せるためのものであると共に、そのレベルが上記第２の支持部の高さに合わせてあることにある。
この発明の第２の特徴は、第１の特徴を備えており、枕本体がその内部に充填材を充填してあり、上記充填材を出し入れ可能である開口部を設けてあることにある。
この発明の第３の特徴は、第１の特徴を備えており、枕本体がその内部に充填材を充填してあり、上記充填材を出し入れ可能である開口部を設けてあり、上記枕本体が上記充填材によって外周に沿って「ロ」字状に膨らんでおり、かつ充填材が充填されてない中央部分が収納凹部となっており、上記枕本体内への充填材の充填量の増減により、第１の支持部及び第２の支持部の高さを調整可能であることにある。
この発明の第４の特徴は、第１、第２又は第３の特徴を備えており、補助枕は布を複数枚重ねたものであることにある。
この発明の第５の特徴は、第１、第２又は第３の特徴を備えており、補助枕は保冷材入りであることにある。
【発明の効果】
【０００５】
この発明によれば、第１の支持部を設けているので、睡眠中の頚部が安定し快い睡眠を促すことができ、そして第１の支持部の他に第２の支持部を設けているので、この第２の支持部を介して通常の枕としても利用可能であり、枕の商品価値を高めることができる。
【発明を実施するための最良の形態】
【０００６】
図１〜図４に示す枕は、枕本体１、この枕本体の対向側（図１左右両側）に設けてある第１の支持部２及び第２の支持部３、収納凹部４並びに充填材５を枕本体から出し入れするための開口部６を備えている。
【０００７】
図１及び図２に示すように、枕本体１は平面ほぼ四角形状の２枚の布を上下に重ねて外周全周を縫製すると共に、中央部を図示の例ではほぼ五角形の輪郭線に沿って縫製したものである。布には天然繊維やポリエステル繊維などの合成繊維が使用されており、耐久性などを考慮すると合成繊維布が良い。
枕本体１は一側部（図１下側部）には開口部６（図３）を設けてあり、この開口部がファスナー７によって開閉可能である。開口部６は被覆片８（図３）によって被覆されている。
枕本体１内には充填材５が充填されている。枕本体１は充填材５によって外周に沿って「ロ」字状に膨らんでおり、中央部は充填材が充填されてない収納凹部４となっている。
枕本体１内への充填材５の充填量は開口部６を通じて出し入れすることにより調整される。
充填材５として、例えば粒状物であれば、枕本体が容易に変形可能となるから使い勝手が良くなる。粒状物には、細くて短い粒状のプラスチック製パイプ、プラスチック製ビーズ、そば殻、もみ殻、穀物、樹木の種、竹炭などの部材が含まれる。
【０００８】
図１〜図３に示すように第１の支持部２と第２の支持部３とは、枕本体１の対向側に配置されかつ上面に向けて膨出されている。第１及び第２の支持部２，３は、いずれも対向する方向と交差する方向（図１上下方向）に長さを有すると共に断面が上面を凸とする湾曲形状となっている（図２）。第１の支持部２は、その上面が図２に示すように使用者Ｕの頚部Ｕ１の前湾曲線に沿う形状であり、その高さｈ１が第２の支持部３の高さｈ２より高く設定されている。
第１の支持部２の高さｈ１が９ｃｍ、第２の支持部２の高さｈ２が７ｃｍであることが頚椎の安定に良いが、これらの数値に限られるものではない。
【０００９】
図１及び図２に示すように、収納凹部４は、上述のように第１の支持部２と第２の支持部３との間に補助枕９を収納可能である深さと内部形状を備えている。
補助枕９は例えばアイスノンピロー（商品名：株式会社白元）などのような保冷材入りのもの、発泡プラスチックからなるもの、布を複数枚重ねたものなど適宜である。
補助枕９は図５に示す例では直方体に形成されており、収納凹部４内に納まる大きさであり、納まった状態で上面のレベルが図２鎖線に示すように収納凹部の開口端のレベルに近い状態に設定されている。
【００１０】
次に枕の使用方法を説明する。
図６（ア）に示す使用例１について説明する。
この例では、頚椎の安定を図るために第１の支持部２を使用する。
予め、補助枕９を枕本体１の収納凹部４内に入れておく。
まず、図６（ア）に示すように、枕本体１の第２の支持部３を使用者Ｕの向かい側（図上側）に向けると、第１の支持部２は使用者の足元側（図下側）に位置することになる。
次に、図示する状態で、使用者Ｕは横になり、頭部Ｕ２を枕本体１の上に乗せ、頭部の位置を調整しながら図２鎖線に示すように頚部Ｕ１を第１の支持部２の上面に乗せると共に後頭部を補助枕９上に乗せてから睡眠に入る。
第１の支持部２の上面の曲面が頚部Ｕ１の前湾曲線に沿う形状であるために、頚椎が安定し、頚部を圧迫することなく、その筋肉に過度の負担がかからないから、快い睡眠を促すことができる。また第１の支持部２は図６（ア）左右に方向に長さを備えているから、睡眠中に寝返りなどで頭部Ｕ２が移動しても、頚部Ｕ１が第１の支持部上を移動する限り上記効果を損なうものではない。
また、実験例として、頚部Ｕ１が図６（ア）に示す位置にあるとき、頭部Ｕ２を左右に複数回往復させることにより、頚部Ｕ１も第１の支持部２上を往復することになり、この結果頚椎がより安定し、深い眠りを可能にすることが判明した。
図６（イ）に示す使用例２について説明する。
この例では、頭部Ｕ２を冷やすために第２の支持部３を使用する。
予め、補助枕９として保冷材入りで冷やした冷却補助枕を枕本体１の収納凹部４内に入れておく。
枕本体１を図６（ア）の位置を基準として９０度回転させる。すると、第２の支持部３は  図６（イ）下側に位置することになる。
そこで、図示する状態で、使用者Ｕは横になり、頭部Ｕ２を枕本体１の上に乗せ、頭部の位置と補助枕９とを対向させ、後頭部のほぼ全体を補助枕９上に乗せると共に、頚部Ｕ１を第２の支持部３に載せた状態で睡眠に入る。
この例では、後頭部のほぼ全体が補助枕９上に乗せられているので、冷却されている補助枕に接している頭部Ｕ２が効果的に冷やされ、夏季の寝苦しい夜に最適であり、そして高熱により頭部を冷やす必要がある場合にも好適である。
使用例２の応用例として、補助枕９が保冷材入りのものであっても冷やすことなく通常の枕として利用しても良い。また補助枕９が保冷材入りではないものであっても通常の枕として利用することができる。
さらに、使用例１及び使用例２において、第１の支持部２の高さｈ１や第２の支持部３の高さｈ２を使用者Ｕに応じて調整する必要がある場合には、開口部６を利用して充填材５の充填量を増減して、使用者にとって最適な高さに設定する。
【００１１】
図１に示す枕によれば、第１の支持部２を設けているので頚椎の安定が図られるから快い睡眠を促進することができる。そして図１に示す枕は、第１の支持部２により枕の頚椎の安定機能の他に、第２の支持部３が通常の枕として機能し、複数の機能を有する枕として商品価値を高めることができ、さらに収納凹部４に入れる補助枕９として冷却可能のものを用いれば冷却枕として機能することになるから、多機能枕として商品価値の向上に寄与する。
【００１２】
この発明の枕において、枕本体１の全体形状は図示のものに限られない。また収納凹部４を設ければ、多種類の補助枕を用いることにより使用例を増やすことができて商品価値が一層上ることになる。この発明の枕は、充填材５入りのものであれば、上述したように、高さｈ１，ｈ２の調整ができる利点があるが、必ずしも充填材入りのものに限定されず、例えばプラスチックにより一体成形した弾性変形可能な枕などであっても良い。
【図面の簡単な説明】
【００１３】
【図１】この発明に係る枕を示す正面図である。
【図２】図１のＩＩ−ＩＩ線拡大断面図である。
【図３】図１の底面図である。
【図４】図１のＩＶ−ＩＶ線拡大断面図である。
【図５】この発明に係る枕に使用する補助枕の斜視図である。
【図６】この発明に係る枕の使用例を示し、（ア）は使用例１を、（イ）は使用例２をそれぞれ示す図である。
【符号の説明】
【００１４】
１                  枕本体
２                  第１の支持部
３                  第２の支持部
４                  収納凹部
５                  充填材
６                  開口部
９                  補助枕
ｈ１                第１の支持部の高さ
ｈ２                第２の支持部の高さ
Ｕ                  使用者
Ｕ１                使用者の頚部
Ｕ２                使用者の頭部
【図１】
0004607934.tif 000002
【図２】
0004607934.tif 000003
【図３】
0004607934.tif 000004
【図４】
0004607934.tif 000005
【図５】
0004607934.tif 000006
【図６】
0004607934.tif 000007